【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】情報処理装置並びに定義情報生成方法及び定義情報生成プログラム
【手続補正２】
【補正対象書類名】明細書
【補正対象項目名】特許請求の範囲
【補正方法】変更
【補正の内容】
【特許請求の範囲】
【請求項１】  通常、人間間において特定の処理、または、動作を指示するコマンド指示語として使用される用語を、それが通常、人間に理解される意味にしたがって解釈される形で辞書上に登録しておくステップと、
人間間で用いる自由に作成した書面上において、その中の人間が参照するために記入された文字列に対して、それが、通常、人間によって理解される意味にしたがって、装置によって解釈されるべきことを指示する特定の指定を付与するステップと、
上記指定を受けた文字列について、上記辞書を用いて該当する意味のコマンド指示語として解釈するステップと、
解釈されたコマンド指示語の意味にしたがって、該当の書面上、または、別に指定した他の書面上の特定記入内容を該当コマンド指示語のオペランドとして解釈し、装置に対する特定の処理、または、動作を指示するコマンド定義情報を生成するステップとからなる情報処理装置における定義情報生成方法。
【請求項２】  該当のコマンド指示語が記入されている同じ書面上の全ての記入内容をオペランドとして識別する請求項１に記載の方法。
【請求項３】  該当のコマンド指示語が記入されている書面と他の書面の組み合わせを指定するステップを有し、上記組み合わせを構成する各書面の記入内容の中から特定の記入内容をオペランドとして識別する請求項１に記載の方法。
【請求項４】  通常、人間が参照する定義書として記述された定義情報の項目名として使用される用語を、それが通常、人間に理解される意味にしたがって解釈される形で辞書上に登録しておくステップと、
人間が参照するために自由に作成した定義書書面上において、項目名となる文字列とそのデータ名となる文字列の対応付けを識別するステップと、
異なる項目名のデータ名であって、同時に参照されるべきデータ名の組み合わせであるレコードを識別するステップと、
書面上において、上記対応付けの項目名として識別した文字列を、上記辞書を用いて、
該当する意味の項目名として解釈するステップと、
上記識別したレコードを構成するデータ名を、各々、対応する項目名の解釈された意味にしたがって解釈し、該当する定義情報の内容を決定するステップと、
からなる情報処理装置における定義情報生成方法。
【請求項５】  通常、人間が参照する定義書として記述された定義情報のデータ名として使用される用語を、上記辞書上において、その項目名と対応付けられ、かつ、それが通常、人間に理解される意味にしたがって解釈される形で登録しておくことにより、上記辞書を用いて、上記識別したレコードを構成するデータ名を解釈する請求項４に記載の方法。
【請求項６】  人間が参照するために自由に作成した定義書書面上において、その中に記入された文字列に対して、通常、人間によって理解されるとおりに解釈されるべきことを指示する特定の指定をおこなうことによって、該当文字列についての項目名としての上記解釈を確定的におこなう請求項４に記載の方法。
【請求項７】  通常、人間が参照する定義書として記述された定義情報の項目名、または、データ名として使用される用語を登録する上記辞書を、定義情報の種別ごとに分けた形で作成しておき、定義情報の種別を選択するステップを受けて、選択した定義情報の種別に対応する辞書部分を用いることによって、書面上から識別した上記レコードを構成する各項目名と各データ名の対応付けを解釈し、該当する定義情報の内容を決定する請求項４または５または６に記載の方法。
【請求項８】  項目名となる文字列とそのデータ名となる文字列の上記対応付けを、書面上における定義情報の種別によらない共通の指定方法を用いておこなう請求項７に記載の方法。
【請求項９】  通常、人間によって理解されるとおりに解釈されるべきことを指示する上記指定を与えた文字列に対して、上記指定を与えていることを示す特定の図形、記号、図形的特徴を付与する請求項１または６に記載の方法。
【請求項１０】  通常、人間間において特定の処理、または、動作を指示するコマンド指示語として使用される用語を、それが通常、人間に理解される意味にしたがって解釈される形で辞書上に登録しておく手段と、
人間間で用いる自由に作成した書面上において、その中の人間が参照するために記入された文字列に対して、それが、通常、人間によって理解される意味にしたがって、装置によって解釈されるべきことを指示する特定の指定を付与する手段と、
上記指定を受けた文字列について、上記辞書を用いて該当する意味のコマンド指示語として解釈する手段と、
解釈されたコマンド指示語の意味にしたがって、該当の書面上、または、別に指定した他の書面上の特定記入内容を該当コマンド指示語のオペランドとして解釈し、装置に対する特定の処理、または、動作を指示するコマンド定義情報を生成する手段とからなる情報処理装置。
【請求項１１】  通常、人間が参照する定義書として記述された定義情報の項目名として使用される用語を、それが通常、人間に理解される意味にしたがって解釈される形で辞書上に登録しておく手段と、
人間が参照するために自由に作成した定義書書面上において、項目名となる文字列とそのデータ名となる文字列の対応付けを識別する手段と、
異なる項目名のデータ名であって、同時に参照されるべきデータ名の組み合わせであるレコードを識別する手段と、
書面上において、上記対応付けの項目名として識別した文字列を、上記辞書を用いて、
該当する意味の項目名として解釈する手段と、
上記識別したレコードを構成するデータ名を、各々、対応する項目名の解釈された意味にしたがって解釈し、該当する定義情報の内容を決定する手段と、
からなる情報処理装置。
【請求項１２】  通常、人間間において特定の処理、または、動作を指示するコマンド指示語として使用される用語を、それが通常、人間に理解される意味にしたがって解釈される形で辞書上に登録しておくステップと、
人間間で用いる自由に作成した書面上において、その中の人間が参照するために記入された文字列に対して、それが、通常、人間によって理解される意味にしたがって、装置によって解釈されるべきことを指示する特定の指定を付与するステップと、
上記指定を受けた文字列について、上記辞書を用いて該当する意味のコマンド指示語として解釈するステップと、
解釈されたコマンド指示語の意味にしたがって、該当の書面上、または、別に指定した他の書面上の特定記入内容を該当コマンド指示語のオペランドとして解釈し、装置に対する特定の処理、または、動作を指示するコマンド定義情報を生成するステップとを実行する定義情報生成プログラム。
【請求項１３】  通常、人間が参照する定義書として記述された定義情報の項目名として使用される用語を、それが通常、人間に理解される意味にしたがって解釈される形で辞書上に登録しておくステップと、
人間が参照するために自由に作成した定義書書面上において、項目名となる文字列とそのデータ名となる文字列の対応付けを識別するステップと、
異なる項目名のデータ名であって、同時に参照されるべきデータ名の組み合わせであるレコードを識別するステップと、
書面上において、上記対応付けの項目名として識別した文字列を、上記辞書を用いて、
該当する意味の項目名として解釈するステップと、
上記識別したレコードを構成するデータ名を、各々、対応する項目名の解釈された意味にしたがって解釈し、該当する定義情報の内容を決定するステップととを実行する定義情報生成プログラム。